(57)【要約】【課題】薄型軽量であっても、外部衝撃が加わった際に損傷を受けることを抑制することが可能な光ディスク装置を提供する。【解決手段】イジェクトアーム１１には、ロックアーム１２と接触する側に重りが設けられることにより、イジェクトアーム１１の重心が重り１５の側に偏る。所定の大きさ以上の衝撃が加わると、イジェクトアーム１１が回動し、イジェクトアーム１１はロックアーム１２との接触部を介してロックアーム１２を回動させ、ロックアーム１２がロックシャフト１４から離れてロックが解除される。その結果トレイ３が開いた状態となる。トレイ３が衝撃によって開くことにより、ロックシャフト１４の倒れをなくすことができ、筐体部２ｂが変形することを防止できる。【選択図】図２
2005339681.tif 000002
【特許請求の範囲】
【請求項１】
光ディスクを回転させる回転駆動手段と、光ディスクに対してレーザ光を照射して情報の記録再生の少なくとも一方を行う光ピックアップを搭載したキャリッジを備えた光ピックアップモジュールが取り付けられたトレイと、前記トレイを出没自在に保持する筐体とを備えた光ディスク装置において、外部衝撃が加えられるとトレイが筐体から引き出されるように機能するロック解除手段を有することを特徴とする光ディスク装置。
【請求項２】
前記ロック解除手段は、外部衝撃によるイジェクトアームの回動に伴ってロックアームが回動して、筐体に設けられたロックシャフトへのロックアームの係止を解除する手段であり、イジェクトアームのロックアームとの接触部側と、ロックアームのイジェクトアームとの接触部側のいずれか一方または両方に重りが設けられていることを特徴とする請求項１記載の光ディスク装置。
【請求項３】
前記ロック解除手段は、外部衝撃によるイジェクトアームの回動に伴ってロックアームが回動して、筐体に設けられたロックシャフトへのロックアームの係止を解除する手段であり、前記ロックアームのロックシャフトとの係止部の開口角度を非鋭角としたことを特徴とする請求項１記載の光ディスク装置。
【請求項４】
前記ロック解除手段は、外部衝撃によるイジェクトアームの回動に伴ってロックアームが回動して、筐体に設けられたロックシャフトへのロックアームの係止を解除する手段であり、前記ロックシャフトが弾性材料から形成されていることを特徴とする請求項１記載の光ディスク装置。
【請求項５】
前記ロック解除手段は、外部衝撃によるイジェクトアームの回動に伴ってロックアームが回動して、筐体に設けられたロックシャフトへのロックアームの係止を解除する手段であり、前記ロックシャフトの周囲にスリットが設けられていることを特徴とする請求項１記載の光ディスク装置。
【請求項６】
前記ロック解除手段は、外部衝撃が加わるとイジェクト駆動装置の端子に電圧が印可されることによってロックアームが回動して、筐体に設けられたロックシャフトへのロックアームの係止を解除する手段であることを特徴とする請求項１記載の光ディスク装置。
【発明の詳細な説明】
【技術分野】
【０００１】
本発明は、パーソナルコンピュータ，ノートブック型コンピュータなどの電子機器に搭載される光ディスク装置に関するものである。
【背景技術】
【０００２】
光ディスク装置は、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
ノートブック型コンピュータなどに内蔵される光ディスク装置においては、トレイを引き出して光ディスクをチャッキングすることで、光ディスクがトレイに装着される。トレイは、再生記録時には光ディスクがその内部に収納された状態でロックされており、そのために、外部からの衝撃等でトレイが開かないようにイジェクト機構部品でロック状態が保持される。
【０００４】
従来の光ディスク装置におけるイジェクト機構の構成と、外部衝撃による変形の様子を図１１に示す。
【０００５】
図１１（ａ）はイジェクト機構の構成を示す。図１１（ａ）において、１１はイジェクトアーム、１２はロックアーム、１３はリリースアーム、１４はロックシャフトである。図１１（ａ）はロックアーム１２がロックシャフト１４に係止した状態を示しており、このときトレイ３は閉じた状態となっている。イジェクトアーム１１が回動すると、イジェクトアーム１１はロックアーム１２との接触部を介してロックアーム１２を回動させ、これによりロックアーム１２がロックシャフト１４から離れるとロックが解除されて、トレイ３が開いた状態となる。
【０００６】
図１１（ｂ）は、光ディスク装置に対して外部衝撃が加わったことによって、トレイ３が開こうとしてロックアーム１２とロックシャフト１４の係合部に許容量を超える荷重がかかり筐体部２ｂが変形したときの様子を示しており、筐体部２ｂの変形によってロックシャフト１４が倒れ、損傷を受けている。
【０００７】
このようなイジェクト機構について、外部衝撃が加わることによってロックが解除されることを防止することを目的とした技術が、（特許文献１）において開示されている。
【特許文献１】特開平９−４４９５５号公報
【発明の開示】
【発明が解決しようとする課題】
【０００８】
しかし、図１１（ｂ）に示す、筐体部２ｂの変形によるロックシャフト１４の倒れは、外部衝撃が加わったときにロックが解除されないことによって生じているため、強い衝撃が加わる場合には、ロックが解除されないことによって光ディスク装置が損傷を受けているということがわかる。
【０００９】
近年、光ディスク装置に対して、外部衝撃に対する耐久性の要求が強まっているが、現在用いられている光ディスク装置においては、薄型軽量化が進んでいるため、外部衝撃によって変形しやすい構成となっている。光ディスク装置を構成する材料の厚みを大きくすれば外部衝撃に対する耐久性は高まるが、薄型の光ディスク装置を実現することができな
い。また、ステンレス等の高強度材料を用いれば外部衝撃に対する耐久性は高まるものの、軽量化を実現することができない。
【００１０】
本発明は、上記の課題を解決するためになされたもので、薄型軽量であっても、外部衝撃が加わった際に損傷を受けることを抑制することが可能な光ディスク装置を提供することを目的とする。
【課題を解決するための手段】
【００１１】
本発明は、上記の課題を解決するためになされたもので、光ディスクを回転させる回転駆動手段と、光ディスクに対してレーザ光を照射して情報の記録再生の少なくとも一方を行う光ピックアップを搭載したキャリッジを備えた光ピックアップモジュールが取り付けられたトレイと、前記トレイを出没自在に保持する筐体とを備えた光ディスク装置において、外部衝撃が加えられるとトレイが筐体から引き出されるように機能するロック解除手段を有することを特徴とする光ディスク装置である。
【発明の効果】
【００１２】
本発明によると、所定の大きさ以上の衝撃が加わったときには、トレイが筐体から引き出されるように機能するロック解除手段を有することにより、薄型軽量であっても、外部衝撃によってトレイや筐体が損傷を受けることを防止することができる。
【発明を実施するための最良の形態】
【００１３】
本願の第１の発明は、光ディスクを回転させる回転駆動手段と、光ディスクに対してレーザ光を照射して情報の記録再生の少なくとも一方を行う光ピックアップを搭載したキャリッジを備えた光ピックアップモジュールが取り付けられたトレイと、前記トレイを出没自在に保持する筐体とを備えた光ディスク装置において、外部衝撃が加えられるとトレイが筐体から引き出されるように機能するロック解除手段を有することを特徴とする光ディスク装置である。
【００１４】
光ディスク装置においては、トレイが筐体に保持された状態で情報の記録再生が行われるため、ある程度の大きさの外部衝撃に対しては、トレイが筐体に保持された状態を維持することが必要であるが、外部衝撃が大きくなると、トレイが筐体に保持された状態を維持しようとすると、トレイや筐体が受ける損傷が大きくなる。そこで、本発明においては、外部衝撃によってトレイや筐体が損傷を受けることを防止するために、所定の大きさ以上の衝撃が加わったときには、トレイが筐体から引き出されるように機能するロック解除手段を有することとしている。このロック解除手段によってトレイが筐体から引き出される際の外部衝撃の大きさは、２５０Ｇ程度とすることが好ましい。
【００１５】
本願の第２の発明は、第１の発明におけるロック解除手段は、外部衝撃によるイジェクトアームの回動に伴ってロックアームが回動して、筐体に設けられたロックシャフトへのロックアームの係止を解除する手段であり、イジェクトアームのロックアームとの接触部側と、ロックアームのイジェクトアームとの接触部側のいずれか一方または両方に重りが設けられていることを特徴とする。
【００１６】
イジェクトアームは、ロックアームと接触する側に重りが設けられることにより、イジェクトアームの重心が重りの側に偏る。その結果、従来のものでは衝撃を受けても回転力が生じないのに対して、衝撃を受けたときに衝撃値に応じた回転力が発生する。同様に、ロックアームは、イジェクトアームと接触する側に重りが設けられることにより、ロックアームの重心が重りの側に偏る。その結果、イジェクトアームの回動に伴ってロックアームが回動しやすくなる。この回転力によってロックアームが回動してロックが解除される。
【００１７】
本願の第３の発明は、第１の発明におけるロック解除手段は、外部衝撃によるイジェクトアームの回動に伴ってロックアームが回動して、筐体に設けられたロックシャフトへのロックアームの係止を解除する手段であり、前記ロックアームのロックシャフトとの係止部の開口角度を非鋭角としたことを特徴とする。
【００１８】
外部衝撃が加わるとイジェクトアームが回動するが、ロックアームのロックシャフトとの係止部の開口角度を大きくして非鋭角としているため、外部衝撃によってロックシャフトへのロックアームの係止が解除されやすくなる。
【００１９】
本願の第４の発明は、第１の発明におけるロック解除手段は、外部衝撃によるイジェクトアームの回動に伴ってロックアームが回動して、筐体に設けられたロックシャフトへのロックアームの係止を解除する手段であり、前記ロックシャフトが弾性材料から形成されていることを特徴とする。
【００２０】
ロックシャフトを弾性材料で形成することにより、外部衝撃が加わると外部衝撃が加えられた方向に弾性変形し、ロックシャフトへのロックアームの係止が解除されて、トレイが開いた状態となる。ロックシャフトへのロックアームの係止が解除されると、ロックシャフトは弾性材料で形成されているため、復元力によってもとの状態に復帰する。そのため、ロックシャフトは変形しない状態で維持される。また、衝撃力はロックシャフトに吸収されるため、筐体の変形を防止できる。
【００２１】
本願の第５の発明は、第１の発明におけるロック解除手段は、外部衝撃によるイジェクトアームの回動に伴ってロックアームが回動して、筐体に設けられたロックシャフトへのロックアームの係止を解除する手段であり、前記ロックシャフトの周囲にスリットが設けられていることを特徴とする。
【００２２】
ロックシャフトの周囲にスリットが設けられていることにより、外部衝撃が加わったときに、ロックシャフトがロックアームから離れる方向に筐体が変形する。この変形により、ロックシャフトへのロックアームの係止が解除されて、トレイが開いた状態となる。ロックシャフトへのロックアームの係止が解除されると、筐体は外部衝撃が加わる以前の状態に戻るため、筐体の変形を一時的なものにすることができる。
【００２３】
本願の第６の発明は、第１の発明におけるロック解除手段は、外部衝撃が加わるとイジェクト駆動装置の端子に電圧が印可されることによってロックアームが回動して、筐体に設けられたロックシャフトへのロックアームの係止を解除する手段であることを特徴とする。
【００２４】
光ディスク装置に加わる外部衝撃が所定の大きさを超えると、イジェクト駆動装置の端子に電圧が印可されて、トレイが開いた状態とすることによって、ロックシャフトや筐体の変形を防止することができる。イジェクト駆動装置として、ラッチ型ソレノイドや吸引型ソレノイドを用いることができる。ラッチ型ソレノイドの場合には、外部衝撃が加わるとラッチ型ソレノイドの端子に電圧が印可されて、ラッチ型ソレノイドの可動部が離脱して、筐体に設けられたロックシャフトへのロックアームの係止を解除する。また、吸引型ソレノイドの場合には、外部衝撃が加わると吸引型ソレノイドの端子に電圧が印可されて、ロックアームの吸引型ソレノイドとの接触部が吸引され、筐体に設けられたロックシャフトへのロックアームの係止を解除する。
【００２５】
以下、本発明における光ディスク装置の実施の形態について説明する。
【００２６】
図１は本発明の一実施の形態における光ディスク装置においてトレイを引き出した状態を示す斜視図である。
【００２７】
図１において、光ディスク装置１は、筐体２と、筐体２に出没自在に保持されたトレイ３とを有している。筐体２は、金属製の筐体部２ａ、２ｂを組み合わせた袋状であり、筐体２の開口からトレイ３が出没する構成となっている。
【００２８】
トレイ３には裏面から光ピックアップモジュール４が取り付けられている。トレイ３の両側部には移動自在にレール３ａが設けられ、このレール３ａはトレイ３に一体に設けられたレール保持部３ｂに保持されている。なお、図１では一方の側部にのみレール３ａが設けられているが、他方の側部に同様のレールが設けられている。
【００２９】
光ピックアップモジュール４は光ディスクを回転駆動させるスピンドルモータ５と、スピンドルモータ５から外周にかけて開口６ａを設けた金属製のカバー６と、開口６ａから一部が露出したキャリッジ７とを少なくとも有している。キャリッジ７は光ピックアップモジュール４に設けられた複数の支持シャフトに移動自在に保持されており、しかも図示していないフィードモータによって、スピンドルモータ５に近づいたり、離れたりするように移動できる。８はトレイ３の前面に設けられたベゼルで、ベゼル８は筐体２の開口を塞ぐ程度の大きさで構成されている。キャリッジ７には、高出力のレーザーダイオード等の光源、各種光学部材及び光ディスク上に光スポットを構成する対物レンズなどが搭載されている。
【００３０】
図２に、本発明の第１実施形態に係る光ディスク装置のイジェクト機構の構成を示す。この実施形態においては、図２（ａ）示すように、所定の大きさ以上の衝撃が加わると、イジェクトアーム１１が回動し、イジェクトアーム１１はロックアーム１２との接触部を介してロックアーム１２を回転させ、ロックアーム１２がロックシャフト１４から離れてロックが解除される。その結果トレイ３が開いた状態となる。図２（ｂ）は、このときの筐体部２ｂを側面から見た図であり、トレイ３が衝撃によって開くことにより、筐体部２ｂは変形しておらず、ロックシャフト１４は倒れずに正常な状態を維持することができる。
【００３１】
このように、所定の大きさ以上の衝撃が加わったときに、ロックアーム１２がロックシャフト１４から離れてロックが解除されるようにするためには、イジェクト機構を構成する部品を、図３に示すような構造とすることによって可能である。
【００３２】
図３（ａ）は従来のリリースアームを示し、図３（ｂ）は本実施形態のリリースアームを示す。また、図４（ａ）は従来のロックアームを示し、図４（ｂ）は本実施形態のロックアームを示す。また、図５（ａ）は従来のイジェクトアームを示し、図５（ｂ）は本実施形態のイジェクトアームを示す。本実施形態のものは、イジェクトアーム１１、ロックアーム１２、リリースアーム１３のいずれについても、回転中心から離れた位置に重りが設けられている。例えば、イジェクトアーム１１については、図５に示すように、ロックアーム１２と接触する側に重りが設けられることにより、イジェクトアーム１１の重心が重り１５の側に偏っている。その結果、従来のものでは衝撃を受けても重心位置が回転中心とほぼ一致しているため回転力が生じないのに対して、本実施形態のものでは、衝撃を受けたときに衝撃値に応じた回転力が発生し、この回転力によってロックアーム１２が回動し、ロックシャフト１４へのロックアーム１２の係止が解除されてロックが解除される。２５０Ｇ程度の大きさの外部衝撃が加わったときにロックが解除されるようにするためには、重り１５の重量を、０．３ｇから２．０ｇ程度とするのが好ましい。
【００３３】
図６に、本発明の第２実施形態に係る光ディスク装置のイジェクト機構の構成を示す。
【００３４】
図６（ａ）は、本実施形態に係るロックアーム１２の形状を示し、図６（ｂ）は、従来のロックアーム１２の形状を示す。本実施形態においては、ロックアーム１２のロックシャフト１４との係止部の開口の角度を従来のものより大きくし、開口角度αが非鋭角となるようにしている。図６（ｃ）は、ロックアーム１２がロックシャフト１４に係止したロック状態を示し、図６（ｄ）は、この状態の筐体部２ｂを側面から見た図である。ロックアーム１２のロックシャフト１４との係止部の開口角度が大きいため、ロックシャフト１４へのロックアーム１２の係止が解除されやすくなっており、この機構によって外部衝撃によりロックが解除される。図６（ｅ）はロックが解除されてトレイ３が開いた状態を示しており、図６（ｆ）はこの状態の筐体部２ｂを側面から見た図である。このように、外部衝撃によってトレイ３が開くことによって、ロックシャフト１４の倒れと筐体部２ｂの変形を防止できる。
【００３５】
図７に、本発明の第３実施形態に係る光ディスク装置のイジェクト機構の構成を示す。
【００３６】
図７（ａ）は、光ディスク装置に外部衝撃が加わった状態を示しており、図７（ｂ）は、そのときの状態を筐体部２ｂの側面から見た図である。本実施形態においては、ロックシャフト１４を弾性材料で形成しており、外部衝撃が加わると図７（ｂ）に示すように、外部衝撃が加えられた方向に弾性変形する。その際に、図７（ｃ）に示すように、ロックシャフト１４へのロックアーム１２の係止が解除されて、トレイ３が開いた状態となる。ロックシャフト１４へのロックアーム１２の係止が解除されると、ロックシャフト１４は弾性材料で形成されているため、復元力によってもとの状態に復帰する。図７（ｄ）は、そのときの状態を筐体部２ｂの側面から見た図であり、ロックシャフト１４は変形しない状態で維持される。また、衝撃力はロックシャフト１４に吸収されるため、筐体部２ｂの変形を防止できる。
【００３７】
図８に、本発明の第４実施形態に係る光ディスク装置のイジェクト機構の構成を示す。
【００３８】
図８（ａ）は、光ディスク装置に外部衝撃が加わった状態を示しており、図８（ｂ）は、そのときの状態を筐体部２ｂの側面から見た図である。本実施形態においては、ロックシャフト１４の周囲にスリット１６が設けられている。光ディスク装置に外部衝撃が加わると、図８（ｂ）に示すように筐体部２ｂが変形するが、スリット１６が設けられていることによって、ロックシャフト１４がロックアーム１２から離れる方向に筐体部２ｂが変形する。その結果、図８（ｃ）に示すように、ロックシャフト１４へのロックアーム１２の係止が解除されて、トレイ３が開いた状態となる。図７（ｄ）は、そのときの状態を筐体部２ｂの側面から見た図であり、ロックシャフト１４は変形しない状態で維持され、筐体部２ｂの変形を防止できる。
【００３９】
図９、図１０に、本発明の第５実施形態に係る光ディスク装置のイジェクト機構の構成を示す。
【００４０】
本実施形態は、イジェクト機構にラッチ型ソレノイド等のイジェクト駆動装置を用いたものであり、図９（ａ）は吸引型ソレノイド１７を用いたイジェクト機構のロック状態を示し、図９（ｂ）はこの状態を筐体部２ｂの側面から見た図である。図１０は、ラッチ型ソレノイドを用いたイジェクト機構において、ロックを解除する際の動作を示すものであり、図１０（ａ）は手動による場合を示し、ピン等でイジェクトアーム１１の一端を押すことによって、イジェクトアーム１１が回動すると、イジェクトアーム１１はロックアーム１２を回動させ、ロックアーム１２がロックシャフト１４から離れてロックが解除される。
【００４１】
図１０（ｂ）は電気信号による場合を示し、ラッチ型ソレノイド１８の端子１８ａに電圧が印可されることによって、ラッチ型ソレノイド１８の可動部１９が離脱してリリースアーム１３が回動し、ロックアーム１２を回動させる。その結果、ロックシャフト１４へのロックアーム１２の係止が解除されて、トレイ３が開いた状態となる。このことを利用すると、光ディスク装置に加わる外部衝撃が所定の大きさを超えると、ラッチ型ソレノイド１８の端子１８ａに電圧が印可されて、トレイ３が開いた状態とすることによって、ロックシャフト１４や筐体部２ｂの変形を防止することができる。
【００４２】
なお、イジェクト駆動装置としては、ラッチ型ソレノイドに替えて吸引型ソレノイドを用いてもよく、その他の駆動装置であってもよい。いずれの駆動装置を用いても、ロック解除手段として同様の効果を得ることができる。また、ラッチ型ソレノイドや吸引型ソレノイドなどの駆動源によるロック解除手段と、他の実施形態におけるメカニックなロック解除手段を併用しても良い。
【産業上の利用可能性】
【００４３】
本発明は、パーソナルコンピュータ、ノートブック型コンピュータなどの電子機器に搭載される光ディスク装置として利用することができ、薄型軽量であっても、外部衝撃が加わった際に損傷を受けることを抑制することが可能な光ディスク装置を実現することができる。
【図面の簡単な説明】
【００４４】
【図１】本発明の一実施の形態における光ディスク装置においてトレイを引き出した状態を示す斜視図
【図２】本発明の第１実施形態に係る光ディスク装置のイジェクト機構の構成を示す図
【図３】（ａ）従来のリリースアームを示す図、（ｂ）本実施形態のリリースアームを示す図
【図４】（ａ）従来のロックアームを示す図、（ｂ）本実施形態のロックアームを示す図
【図５】（ａ）従来のイジェクトアームを示す図、（ｂ）本実施形態のイジェクトアームを示す図
【図６】本発明の第２実施形態に係る光ディスク装置のイジェクト機構の構成を示す図
【図７】本発明の第３実施形態に係る光ディスク装置のイジェクト機構の構成を示す図
【図８】本発明の第４実施形態に係る光ディスク装置のイジェクト機構の構成を示す図
【図９】本発明の第５実施形態に係る光ディスク装置のイジェクト機構において、ロック状態のイジェクト機構を示す図
【図１０】本発明の第５実施形態に係る光ディスク装置のイジェクト機構において、ロックを解除する際の動作を示す図
【図１１】従来の光ディスク装置におけるイジェクト機構の構成と、外部衝撃による変形の様子を示す図
【符号の説明】
【００４５】
１    光ディスク装置
２    筐体
２ａ、２ｂ    筐体部
３    トレイ
３ａ    レール
３ｂ    レール保持部
４    光ピックアップモジュール
５    スピンドルモータ
６    カバー
６ａ    開口
７    キャリッジ
８    ベゼル
９    光ディスク
１１    イジェクトアーム
１２    ロックアーム
１２ａ    先端部
１３    リリースアーム
１４    ロックシャフト
１５    重り
１６    スリット
１７    吸引型ソレノイド
１８    ラッチ型ソレノイド
１８ａ    端子
１９    可動部
【図１】
2005339681.tif 000003
【図２】
2005339681.tif 000004
【図３】
2005339681.tif 000005
【図４】
2005339681.tif 000006
【図５】
2005339681.tif 000007
【図６】
2005339681.tif 000008
【図７】
2005339681.tif 000009
【図８】
2005339681.tif 000010
【図９】
2005339681.tif 000011
【図１０】
2005339681.tif 000012
【図１１】
2005339681.tif 000013